(57)【要約】      （修正有）【課題】周囲に他人がいる場所とか注射器具類を置く所が無い場所で、自分自身に簡単に注射ができるような携帯用インスリン注射補助器具を提供する。【解決手段】首にかけるとエプロン状となり、被注射部位を覆うことができる四角形の布４の一辺に、曲げ伸ばしが容易にできる被覆材で覆われた延性を有する線状の素材２を装着する。さらに、該四角形の布４を首にかけられるように、その角部に首にかける紐１を取り付ける。また、該四角形の布４に、注射に必要な器具や消毒綿を収納できるように複数のポケット３を設ける。【選択図】図３
0003146344.tif 000002
【実用新案登録請求の範囲】
【請求項１】
四角形の布の一辺に、曲げたり、伸ばしたりが容易にできる被覆材で覆われ可塑性を有する線状の素材を装着し、それに首に掛ける紐を取り付け、注射部位の下胸部、腹部を覆うことができる構成を特徴としたエプロン状携帯用インスリン注射補助器具。
【請求項２】
請求項１記載に於いて、数個のポケットを設け、注射器具類などを収納することができることを特徴としたエプロン状携帯用インスリン注射補助器具。
【考案の詳細な説明】
【技術分野】
【０００１】  本考案は、健康上の理由で、自分自身にインスリン注射をする場合、周囲の他人の視線が気になる所でもその視線を避け、座った状態でも、立った状態でも、簡単に注射ができる、携帯用インスリン注射補助器具に関するものである。
【背景技術】
【０００２】  外出先に於いて、健康上の理由で、自分自身に注射する場合、周囲に他人がいる場合は、視線が気になるし人前で肌を露出することは恥ずかしいし、周囲の人に迷惑を掛けるような気がする。
また、衛生上、注射に必要な器具類を置く所が無いような場所では、注射をすることが非常に難しい。
従って、自分自身に注射しなければならない人は、外出を避けたり、海外旅行、国内旅行を諦めたりする傾向が非常に強い。
これまで、周囲に他人がいる場所とか注射器具類を置くところが無い場所で、自分自身に簡単に注射ができるような携帯用インスリン注射補助器具は無かった。
【考案の開示】
【考案が解決しようとする課題】
【０００３】  航空機、列車などの乗り物、レストラン、食堂、動物園、海水浴場、遊園地、劇場などで、周囲の他人の視線を気にせず簡単に自分自身に注射をする方法はないのか。
勿論、レストランでも遊園地でもそれを満足させる設備があれば問題はないのだが、現実は厳しい。航空機、列車では設備は皆無といえる。
【課題を解決するための手段】
【０００４】  自分自身に注射をするのであるから、両手が自由に使えて、しかも注射をする部位が周囲を気にしなくてもいい状況で露出できることが必要となる。また、衛生上、注射器具類は、どこにでも置くことはできないので、それらを置く所を確保する必要がある。外出先で使用するので軽く、小さく携帯に便利でなければならない。以上の点を十分勘案して携帯用インスリン注射補助器具を考案した。
四角形の布の一辺に、曲げたり、伸ばしたりが容易にでき被覆材で覆われた可塑性を有する線状の素材を装着し、首に掛れるように紐を取り付けた構成のエプロン状携帯用インスリン注射補助器具（（図１）、（図３）。
首に掛けると、エプロン状となるので注射をする部位である下胸部と腹部を覆うことができる（図４）。
線状の素材を曲げて、覆われた部分が、最も注射をし易い形の立体型のスペースにすることができる（図３）。
携帯用インスリン注射補助器具にポケットを複数設け（図１）、注射に必要な器具類、消毒綿などを収納できるようにする。
これにより注射器具類を置く所が無い場所でも、衛生上の問題を気にせず安心して注射ができる。
【考案の効果】
【０００５】  座った状態でも、立った状態でも、いつでも周囲の他人の視線を気にせず注射ができ、首から掛けるだけなので手が自由に使え、操作も非常に簡単である（図４）。
素材は軽量で可塑性を有し、小さく折りたためるので携帯に便利である。
線状の素材を曲げ、注射がしやすいように、注射をする部位を覆う立体型のスペースを調節することができる（図３）。
注射をするという煩わしさが軽減され、これまで敬遠していた、外出、旅行を楽しむことができるようになる。
【考案を実施するための最良の形態】
【０００６】  携帯用インスリン注射補助器具は、紐を頭から被り、首に掛けるとエプロン状となり、注射をする部位である下胸部、腹部を立体的に覆ので（図３）、（図４）、周囲の他人の視線を気にせず、いつでも何処ででも簡単に注射をすることができる。
線状の素材を曲げることにより、注射する部位を覆う立体型のスペースを（図３）、注射がしやすいように調節できる。
注射に必要な器具類、消毒綿などは、ポケットに収納できるので、注射器具類を置く所がない場所でも衛生上の問題を気にせず安心して注射ができる（図１〜４）。
【図面の簡単な説明】
【０００７】
【図１】  正面図である
【図２】  側面図である
【図３】  背面からの斜視図である。
【図４】  使用中の斜視図である。
【符号の説明】
【０００８】  １    首に掛ける紐
２    布に装着する被覆材で覆われた線状の素材
３    ポケット
４    下胸部、腹部を覆う布
【図１】
0003146344.tif 000003
【図２】
0003146344.tif 000004
【図３】
0003146344.tif 000005
【図４】
0003146344.tif 000006
【手続補正書】
【提出日】平成20年8月14日(2008.8.14)
【手続補正１】
【補正対象書類名】実用新案登録請求の範囲
【補正対象項目名】請求項１
【補正方法】変更
【補正の内容】
【請求項１】
四角形の布の一辺に、曲げたり、伸ばしたりが容易にできる延性を有する線状の素材を装着し、それに首に掛ける紐を取り付け、注射部位の下胸部、腹部を覆うことができる構成を特徴としたエプロン状携帯用インスリン注射補助器具。
【手続補正２】
【補正対象書類名】明細書
【補正対象項目名】０００４
【補正方法】変更
【補正の内容】
【０００４】
自分自身に注射をするのであるから、両手が自由に使えて、しかも注射をする部位が周囲を気にしなくてもいい状況で露出できることが必要となる。また、衛生上、注射器具類は、どこにでも置くことはできないので、それらを置く所を確保する必要がある。外出先で使用するので軽く、小さく携帯に便利でなければならない。以上の点を十分勘案して携帯用インスリン注射補助器具を考案した。
四角形の布の一辺に、曲げたり、伸ばしたりが容易にできる延性を有する線状の素材を装着し、首に掛れるよう紐を取り付けた構成のエプロン状携帯用インスリン注射補助器具（図１）（図３）。
首に掛けると、エプロン状となるので注射をする部位である下胸部と腹部を覆うことができる（図４）。
線状の素材を曲げて、覆われた部分が、最も注射をし易い形の立体型のスペースにすることができる（図３）。
携帯用インスリン注射補器具にポケットを複数設け（図１）、注射に必要な器具類、消毒綿などを収納できるようにする。
これにより注射器具類を置く所がない場所でも、衛生上の問題を気にせず安心して注射ができる。
【手続補正３】
【補正対象書類名】明細書
【補正対象項目名】０００８
【補正方法】変更
【補正の内容】
【０００８】
１  首に掛ける紐
２  布に装着する延性を有する線状の素材
３  ポケット
４  下胸部、腹部を覆う布